(57)【要約】【課題】透光部材の落下をより確実に防止できる照明装置を提供すること。【解決手段】照明装置１が、光源２０と、第２突起部５８を有する透光部材５０と、光源から２０の光を透光部材５０に向けて反射させ、透光部材５０が固定される反射部材３０を備えるようにする。また、照明装置１が、透光部材５０から出射された光を反射し、第２突起部５８が係止される係止部を有する補助反射部材６２を備えるようにする。係止部は、例えば、Ｚ方向の光源２０側が開口すると共に、補助反射部材６２の厚さ方向に貫通する凹部６９で構成されてもよい。【選択図】図８
2019087433.tif 000002
【特許請求の範囲】
【請求項１】
光源と、
突起部を有する透光部材と、
前記光源からの光を前記透光部材に向けて反射させ、前記透光部材が固定される反射部材と、
前記透光部材から出射された光を反射し、前記突起部が係止される係止部を有する補助反射部材と、
を備える照明装置。
【請求項２】
前記係止部は、前記補助反射部材に設けられた凹部を含み、
前記凹部は、前記補助反射部材の高さ方向の前記光源側が開口すると共に、前記補助反射部材の厚さ方向に貫通し、
前記突起部が、前記凹部の底に係止される、請求項１に記載の照明装置。
【請求項３】
前記係止部が、前記補助反射部材の高さ方向に延在すると共に前記光源側が開口する溝と、その溝の前記光源側とは反対側を封鎖する封鎖部とを含む、請求項１又は２に記載の照明装置。
【請求項４】
前記反射部材は、前記反射部材の高さ方向の前記光源側とは反対側の端面から突出する環状の突出部を有する、請求項１乃至３のいずれか１つに記載の照明装置。
【請求項５】
前記補助反射部材は、環状構造を有し
前記補助反射部材が、その補助反射部材の径方向の内側に湾曲し、前記係止部に含まれる湾曲部を有する、請求項１乃至４のいずれか１つに記載の照明装置。
【請求項６】
前記補助反射部材は、環状構造を有し、
前記補助反射部材が、その補助反射部材の内周面から径方向の内方側に突出すると共に前記係止部に含まれる突出部を有する、請求項１乃至５のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、枠体、光源部、反射部材、及び透光部材を備える。枠体は、ハウジングとしての役割を担い、略円筒形状を有する。また、反射部材は、枠体に嵌め込み固定され、光源部が出射した光を透光部材側に反射させる。また、透光部材は、光源部からの光を透過させ、光源部からの指向性の強い光を拡散させる。透光部材は、縁部に突出部を有し、この突出部は、反射部材に設けられた凹部に係止される。この係止によって、透光部材を反射部材に固定し、透光部材が、照明装置の使用中に下方に落下することを防止している。
【先行技術文献】
【特許文献】
【０００３】
【特許文献１】特開２０１５−１７６８１７号公報（第４Ｂ図）
【発明の概要】
【発明が解決しようとする課題】
【０００４】
上記照明装置では、透光部材の突起部が枠体に固定された反射部材の凹部に係止されるので、透光部材の下方への落下を防止できる。しかし、何らかの問題で透光部材を反射部材に係止する機能が失われたとしても、透光部材の落下を防止できれば、安全に万全を期すことができて好ましい。
【０００５】
そこで、本開示の照明装置は、透光部材の落下をより確実に防止できる照明装置を提供することにある。
【課題を解決するための手段】
【０００６】
上記課題を解決するため、本開示の照明装置は、光源と、突起部を有する透光部材と、光源からの光を透光部材に向けて反射させ、透光部材が固定される反射部材と、透光部材から出射された光を反射し、突起部が係止される係止部を有する補助反射部材と、を備える。
【発明の効果】
【０００７】
本開示に係る照明装置によれば、透光部材の落下をより確実に防止できる。
【図面の簡単な説明】
【０００８】
【図１】本開示の一実施形態に係る照明装置の斜視図である。
【図２】上記照明装置の断面図である。
【図３】上記照明装置の反射部材を上側から見たときの斜視図である。
【図４】上記照明装置の補助反射部材を上側から見たときの斜視図である。
【図５】上記照明装置の透光部材を上側から見たときの斜視図である。
【図６】上記照明装置を、高さ方向と径方向を含む切断面であって、図２とは異なる切断面で切断したときの簡略断面図である。
【図７】上記照明装置における図２の領域Ｋ周辺の拡大断面図である。
【図８】変形例の照明装置における図６に対応する簡略断面図である。
【図９】他の変形例の照明装置の一部の簡略断面図である。
【図１０】更なる変形例の照明装置の一部の簡略断面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明及び図面において、Ｒ方向は、以下で説明する反射部材の貫通孔の径方向であり、θ方向は、上記貫通孔の周方向である。Ｒ方向は、以下で説明する補助反射部材のカップ状部の径方向に一致し、θ方向は、上記カップ状部の周方向に一致する。また、Ｚ方向は、照明装置１の高さ方向を示す。Ｒ方向、θ方向、及びＺ方向は、互いに直交する。以下の説明では、Ｚ方向が、照明装置１の光源２０から出射される光の光軸方向に一致する場合について説明する。しかし、Ｚ方向は、照明装置の光源から出射される光軸方向に一致しなくてもよい。また、以下の説明で、鉛直方向や水平方向に関連する文言、例えば、下側、上側、水平方向等を使用した場合、それらの文言は、照明装置１からの出射光が鉛直方向下側に照射され、該出射光の光軸が鉛直方向に一致している状態で表現されている。本実施例では、Ｚ方向が鉛直方向に一致する。
【００１０】
図１は、本開示の一実施形態に係る照明装置１の斜視図であり、図２は、照明装置１の断面図である。照明装置１は、埋込型ダウンライトであり、ホール等の建物の天井に埋め込み配置され、下方を照明する。図１に示すように、照明装置１は、基台１０、枠体６０、及び取付部７０を備える。基台１０は、照明装置１の外郭部材であり、略有底円筒形状を有し、光源２０（図２参照）を内部に取り付ける取付台として機能する。また、基台１０は、ヒートシンクとしても機能し、光源からの熱を外気に放熱する。このため、基台１０は、金属材料等の熱伝導率の高い材料によって構成されると好ましい。
【００１１】
枠体６０は、略円筒状の部材であり、光源２０からの光は、枠体６０の内部を通って照明装置１の外部に出射される。枠体６０の外径は、基台１０の外径と同程度である。枠体６０は、アルミニウム等の金属材料、又はポリブチレンテレフタレート等の樹脂材料によって好適に形成される。枠体６０は、Ｚ方向における光源２０側（上側）の端部にＲθ平面の内側に突出するフランジ部６３（図２参照）を有する。ねじ８１が上側から基台１０及びフランジ部６３に締め込まれ、枠体６０が基台１０に固定される。
【００１２】
取付部７０は、２つの取付バネ７１を有する。２つの取付バネ７１は、例えば、枠体６０の径方向（Ｒ方向に一致）に枠体６０の中心軸を介して対向するように枠体６０の外側に配置され、各取付バネ７１は、枠体６０の外周面に取り付けられる。各取付バネ７１は、天井の埋め込み孔に固定される前の状態においてＺ方向に略直交する方向に延在する。取付バネ７１は、例えば、長尺状の金属板によって構成され、板バネ構造を有する。
【００１３】
照明装置１は、取付バネ７１が埋め込み孔の周囲に当接することで天井に固定される。なお、取付バネ７１は３以上設けられてもよい。また、取付部の構造は、図１に示す構造に限定されず、照明装置において取付部を除いた部分である照明本体を天井に固定できる構造であれば如何なる構造でもよい。
【００１４】
図２に示すように、照明装置１は、光源２０、反射部材３０、及び透光部材５０を更に備える。後で説明するが、ねじ８１による枠体６０の基台１０に対する取付で反射部材３０は照明装置１に対して位置決めされる。そして、その状態で、基台１０の底面（主面）１１及び反射部材３０等が、光源２０を収容する光源収容室４１（図３参照）を画定する。光源２０は、当該状態で光源収容室４１に収容された状態で照明装置１に対して相対移動不可となる。
【００１５】
光源２０は、照明装置１の照明光となる光を発する。光源２０は、基板２１と、発光部２２を有する。光源２０は、ＣＯＢ（ＣｈｉｐＯｎＢｏａｒｄ）構造を有し、発光部２２が、基板２１に実装された複数のＬＥＤ（light emitting diode）と、複数のＬＥＤを封止する封止部材を含む。基板２１は、例えば、セラミックス基板、樹脂基板又はメタルベース基板等で構成される。詳述しないが、基板２１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００１６】
ＬＥＤは、例えば、単色の可視光を発するベアチップで構成され、通電されれば青色光を発する青色ＬＥＤチップで構成される。複数のＬＥＤは、例えば基板２１にマトリクス状に配置される。なお、ＬＥＤは、基板に１つのみ実装されてもよい。封止部材は、例えば、透光性樹脂で構成され、ＬＥＤからの光を波長変換する波長変換材として蛍光体を含む。封止部材は、例えば、シリコーン樹脂に蛍光体粒子を分散させた蛍光体含有樹脂で構成される。光源２０が白色光を出射し、ＬＥＤが青色光を発光する青色ＬＥＤチップである場合、蛍光体粒子は、例えばＹＡＧ系の黄色蛍光体で構成される。封止部材は、例えば、全てのＬＥＤを一括封止してもよく、複数のＬＥＤを列ごとにライン状に封止してもよく、各ＬＥＤを１つずつ個別に封止してもよい。
【００１７】
図２に示すように、反射部材３０は、貫通孔３１を有し、貫通孔３１の内周面は、Ｚ方向の下側に行くにしたがって末広がりとなる複数の円錐内周面３２,３３,３４を含む。反射部材３０の下側端部３７は、透光部材５０の上面に隙間がないか、又は上面にＺ方向に僅かな隙間を有する状態で対向する。光源２０から出射された光は、貫通孔３１を通過する。貫通孔３１の内周面は、光源２０からの光を透光部材５０に向けて反射する。反射部材３０は、その内周面が光源２０から出射された光を反射することで光源２０からの光の配光を制御する。反射部材３０は、例えば白色樹脂材料によって形成される。反射部材３０を構成する樹脂材料としては、ポリブチレンテレフタレート等を好適に使用できる。なお、反射部材３０は、アルミニウム等の金属材料によって形成されてもよく、樹脂成型品の内面にアルミニウム等の金属膜を形成したものでもよい。
【００１８】
図３は、反射部材３０を上側から見たときの斜視図である。図３に示すように、反射部材３０は、上側に光源２０（図２参照）を収容する平面視が略正方形の直方体状の光源収容室４１の一部を画定する。詳述しないが、この実施例では、反射部材３０が上側に凹部４４を有し、その凹部４４には、図示しない部材が挿入固定される。その部材と、反射部材３０の一部とが、光源収容室４１を画定する。反射部材３０の貫通孔３１は、円形の上側開口４３を有し、上側開口４３は、光源収容室４１の下側板部の略中央に位置して、光源収容室４１に開口する。平面視において、光源２０の基板２１は、光源収容室４１と略同じ形状及び大きさを有し、光源収容室４１に隙間なく収容される。この収容状態で、光源２０の基板２１は、光源収容室４１の側壁部４５で保持され、反射部材３０に対して水平方向に相対移動できなくなる。
【００１９】
光源収容室４１の下側には、Ｒθ方向に平行で上側開口４３を取り囲むように配置される平面部４６が設けられる。また、発光部２２（図２参照）は、円板形状を有し、平面視で略正方形の基板２１の下面２４（図２参照）の略中央に配設されている。図２に示すように、基板２１の下面２４の一部は、平面部４６の略全面に当接し、円板状の発光部２２が、貫通孔３１の上側領域部分内に収容される。
【００２０】
図３に示すように、反射部材３０は、ねじ８１（図１参照）軸部の略半分に対応する形状の２つの凹部４８を有する。２つの凹部４８は、上側開口４３を挟んでＲ方向に対向する。各凹部４８は、Ｒ方向の外側が開口し、反射部材３０をＺ方向に貫通する。２つのねじ８１で基台１０を枠体６０に固定する際、ねじ８１は、その軸部が凹部４８を通過している状態で枠体６０のフランジ部６３に締め込まれ、凹部４８の内面がねじ８１の軸部に接触する。その結果、基台１０が２つのねじ８１で枠体６０に固定されると、反射部材３０が、基台１０及び枠体６０に一体に固定される。図２に示すように、この状態で、光源２０の基板２１の上側面が、基台１０底面を構成する主面１１に接触する。よって、光源２０のＺ方向位置が位置決めされる。
【００２１】
図２を参照して、透光部材５０は、透光性を有する透光部材であり、反射部材４０からの光を透過する。透光部材５０は、反射部材３０の下側開口を覆い、その結果、光源２０の下側を覆うように配設され、光源２０を保護する。透光部材５０は、反射部材３０からの光の配光を制御する配光制御機能を有してもよい。本実施形態では、透光部材５０は、フレネルレンズであり、レンズ機能を有する。また、透光部材５０の光出射側の表面には複数の凹凸が形成され、透光部材５０は光拡散機能も有する。透光部材５０は、透光性を有する透光性材料によって構成される。透光部材５０は、アクリル、ポリカーボネート等の透明樹脂材料、又は、ガラス材料によって形成されると好ましい。透光部材５０は、反射部材３０と枠体６０に固定される。透光部材５０の取付構造については後で詳細に説明する。
【００２２】
図２に示すように、枠体６０は、枠本体６１と、補助反射部材６２を含み、枠本体６１は、基台１０に取り付けられる。枠本体６１は、略円筒状の枠体である。枠本体６１の外径は、基台１０の外径と同程度である。枠本体６１は、例えばアルミニウム等の金属材料又はポリブチレンテレフタレート等の樹脂材料によって形成される。補助反射部材６２は、枠本体６１の内側に配置される。補助反射部材６２は、例えばアルミニウム等の薄い金属板で構成された環状の枠体であり、内径が下側に行くにしたがってしだいに大きくなるカップ状部６４を有する。図２に示すように、カップ状部６４の略全ては、透光部材５０の下側に配置される。カップ状部６４は、透光部材５０から出射された光を反射し、照射領域に導光する。
【００２３】
図４は、補助反射部材６２を上側から見たときの斜視図である。図４に示すように、補助反射部材６２は、カップ状部６４を含む本体部６７と、複数の断面略Ｌ字状の突起６８を有し、突起６８は、高さ方向延在部６８ａと、径方向延在部６８ｂを含む。複数の突起６８は、カップ状部の周方向に間隔をおいて配置される。高さ方向延在部６８ａは、本体部６７の上側端部からＺ方向に延在し、径方向延在部６８ｂは、高さ方向延在部６８ａの上側端部からＲ方向外方側に延在する。
【００２４】
図示しないが、枠本体６１のフランジ部６３は、Ｚ方向から見たとき高さ方向延在部６８ａに重なる位置に、Ｚ方向両側が開口すると共にＲ方向内側も開口する凹部を有する。そして、この凹部は、平面視において、高さ方向延在部６８ａｂのＲθ平面での断面に対応する形状を有する。高さ方向延在部６８ａは、この凹部を通過し、径方向延在部６８ｂの先端側は、Ｚ方向から見たときフランジ部６３に重なる。径方向延在部６８ｂの先端側を、フランジ部６３に当接させることで、補助反射部材６２を枠本体６１に係止する。ねじ８１（図１参照）で、基台１０、枠本体６１、及び反射部材３０を一体に固定した際、反射部材３０の下側と枠本体６１のフランジ部６３の上面は、径方向延在部６８ｂの延在方向に垂直な断面に対応する断面の貫通孔を画定し、その貫通孔は、径方向に延在する。径方向延在部６８ｂをその貫通孔に収容することで、補助反射部材６２が、反射部材３０及び枠本体６１に相対移動不可な状態で固定される。なお、補助反射部材６２に設けられる突起の数は、反射部材３０と枠本体６１が画定する貫通孔の数と同一でもよく少なくてもよい。
【００２５】
次に、透光部材５０の固定構造について説明する。図５は、透光部材５０を上側から見たときの斜視図である。図５に示すように、透光部材５０は、略円形の縁を有し、複数の第１突起部５７と、複数の第２突起部５８を含む。複数の第１突起部５７と複数の第２突起部５８の夫々は、θ方向に間隔をおいて配置され、第１突起部５７と第２突起部５８は、θ方向の異なる位置に設けられる。第１突起部５７は、Ｒ方向とＺ方向を含む断面において湾曲したＬ字形状を有し、透光部材５０の縁部５６から突出する。第１突起部５７は、高さ方向延在部５７ａと、径方向延在部５７ｂを含む。高さ方向延在部５７ａは、縁部５６からＺ方向上側に延在し、径方向延在部５７ｂは、高さ方向延在部５７ａの上側端部からＲθ平面内をＲ方向外方側に延在する。他方、第２突起部５８は、透光部材５０の縁部５６からＲ方向外方側に延在する。
【００２６】
再度、図３を参照して、反射部材３０は、複数の係止部４７を有し、複数の係止部４７は、θ方向に等間隔に配置される。各係止部４７は、θ方向に対向する一対の係止爪４２,４２を含み、それらの爪部同士４２ａは、θ方向に対向する。図３及び図５を参照して、反射部材３０が有する複数の係止部４７のθ方向位置は、透光部材５０が有する複数の第１突起部５７のθ方向位置と一致する。
【００２７】
再度、図２を参照して、第１突起部５７は、反射部材３０の下側端部３７の下側を通過した後、先端側が一対の係止爪４２,４２の間に入り込み、先端側の下側が、爪部４２ａによって上側の力を受ける。また、第１突起部５７の先端側のθ方向幅は、一対の係止爪４２,４２のθ方向幅と略一致する。その結果、透光部材５０は、反射部材３０に固定され、反射部材３０にスナップフィット構造で固定される。よって、透光部材５０は、反射部材３０を介して基台１０及び枠本体６１に固定される。
【００２８】
透光部材５０は、更に、補助反射部材６２にも係止される。詳しくは、図４に示すように、補助反射部材６２は、複数の凹部６９を有し、複数の凹部６９は、θ方向に間隔をおいて配置される。凹部６９は、係止部の一例である。凹部６９は、Ｚ方向の光源２０側（上側）が開口すると共に、補助反射部材６２の厚さ方向に貫通する。図４及び図５を参照して、補助反射部材６２が有する複数の凹部６９のθ方向位置は、透光部材５０が有する複数の第２突起部５８のθ方向位置と一致する。第２突起部５８は、上側から凹部６９に挿入され、一対の凹部側面６９ｂの間に配置される。図６は、照明装置１を、Ｚ方向とＲ方向を含む切断面であって、図２とは異なる切断面で切断したときの簡略断面図である。図６に示すように、第２突起部５８は、凹部６９のＺ方向下側の底６９ａに係止される。その結果、透光部材５０が、枠本体６１及び反射部材３０に固定されている補助反射部材６２に係止される。
【００２９】
図７は、図２の領域Ｋ周辺の拡大断面図である。図７に示すように、透光部材５０は、Ｒ方向外方側に上側のみ開口する環状溝５４を有する。また、反射部材３０は、Ｚ方向の光源２０側とは反対側（下側）の端面３８から下側に突出する環状の突出部３９を有する。環状の突出部３９は、環状溝５４内に収容される。この構造を設ける理由については、以下で説明する。また、詳述しないが、照明装置１は、光源２０の周辺に導電性のコネクタ部を有する。コネクタ部は、電力線と電気的に接続される導電性の接続端子（接触端子）であり、例えば、金属製の端子板で構成される。コネクタ部は、基板側端子と、その端子に電気的に接続された外部側端部を含む。基板側端子が、電極端子に電気的に接続されることで、電力が光源２０に供給される。
【００３０】
以上、照明装置１は、光源２０と、第２突起部５８を有する透光部材５０と、光源２０からの光を透光部材５０に向けて反射させ、透光部材５０が固定される反射部材３０とを備える。また、照明装置１は、反射部材３０に透光部材５０から出射された光を反射し、第２突起部５８が係止される凹部（係止部）６９を有する補助反射部材６２を備える。
【００３１】
したがって、透光部材５０が、反射部材３０と補助反射部材６２に２重に固定され、透光部材５０の下方への落下を、互いに異なる２つの落下防止機構で２重に防止できる。よって、何らかの問題で透光部材５０を反射部材３０に固定する機能が失われたとしても、補助反射部材６２による係止で透光部材５０の落下を防止できる。また逆に、何らかの問題で透光部材５０を補助反射部材６２に係止する機能が失われたとしても、反射部材３０による固定で透光部材５０の落下を防止できる。その結果、透光部材５０の落下を確実に防止でき、安全に万全を期すことができる。
【００３２】
また、係止部は、補助反射部材６２に設けられた凹部６９を含んでもよい。また、凹部６９は、補助反射部材６２の高さ方向の光源２０側が開口すると共に、補助反射部材６２の厚さ方向に貫通してもよい。また、透光部材５０の第２突起部５８が、凹部６９の底に係止されてもよい。
【００３３】
上記構成によれば、補助反射部材６２で透光部材５０の落下を防止する構造を簡単安価に実現できる。
【００３４】
また、図７に示すように、反射部材３０は、反射部材３０の高さ方向の光源２０側とは反対側の端面３８から突出する環状の突出部３９を有してもよい。
【００３５】
反射部材３０は、光を反射する特性が高い白色樹脂等で構成されている。したがって、図７に矢印Ａで示す光、すなわち、下方から斜め上方に進行する光であって突出部３９に衝突する光を、突出部３９で反射させることができる。これに対し、仮に突出部３９が存在しない場合、当該光が反射部材３０のＲ方向外側の部位（本実施例の場合、補助反射部材６２の反射に寄与しない上側部分）に達して、その部位で吸収されて黒ずんで見えることがある。本実施形態によれば、図７に矢印Ａで示す光を、突出部３９で反射できる。したがって、下側から見たとき、当該部位が黒ずんで見える虞がなく、照明装置１の美観を良好なものにできる。
【００３６】
本開示は、上記実施形態およびその変形例に限定されるものではなく、本願の特許請求の範囲に記載された事項およびその均等な範囲において種々の改良や変更が可能である。以下にそれらの改良や変更の幾つかについて説明する。なお、説明は省略するが、以下の図８，図９，図１０に示す変形例の照明装置１０１,２０１,３０１も、図１に示す照明装置１と同様、埋込型ダウンライトであり、ホール等の建物の天井に埋め込み配置され、下方を照明する。また、図８，図９，図１０に示す変形例の照明装置１０１,２０１,３０１では、上記実施形態と同一の構成には、同一の参照番号を付して説明を省略する。
【００３７】
上記実施形態では、係止部が、補助反射部材６２に設けられた凹部６９であり、凹部６９が補助反射部材６２を厚さ方向に貫通する場合について説明した。しかし、図８、すなわち、変形例の照明装置１０１における図６に対応する簡略断面図に示すように、補助反射部材１６２に設けられる係止部が、溝１６９と、封鎖部１７０を有してもよい。そして、溝１６９は、補助反射部材１６２の高さ方向に延在すると共に高さ方向の光源２０側（上側）が開口してもよく、封鎖部１７０は、溝１６９の高さ方向の光源２０側とは反対側（下側）を封鎖してもよい。そして、透光部材５０の第２突起部５８が、θ方向両側が溝１６９の側壁に拘束され、第２突起部５８の下端部が、封鎖部１７０に係止されてもよい。
【００３８】
また、図９、すなわち、他の変形例の照明装置２０１の一部の簡略断面図に示すように、環状構造を有する補助反射部材２６２が、補助反射部材２６２の径方向（Ｒ方向）の内側に湾曲する湾曲部２６９を有してもよい。そして、第２突起部５８の下端部が、湾曲部２６９の上側部分に係止される構成でもよく、係止部が、湾曲部２６９であってもよい。なお、この場合、湾曲部２６９が環状であると、外観が良好になって好ましいが、補助反射部材２６２が、環状でない複数の湾曲部２６９を有する構成でもよい。
【００３９】
また、図１０、すなわち、更なる変形例の照明装置３０１の一部の簡略断面図に示すように、環状構造を有する補助反射部材３６２が、補助反射部材３６２の内周面から径方向（Ｒ方向）の内方側に突出する１以上の突出部３６９を有してもよい。そして、第２突起部５８の下端部が、１以上の突出部３６９の上面に係止される構成でもよく、係止部が、１以上の突出部３６９であってもよい。なお、補助反射部材３６２が、複数の突出部３６９を有する場合、複数の突出部３６９は、補助反射部材３６２の周方向（θ方向）に間隔をおいて配置されることになる。
【００４０】
図８−図１０に示す変形例の照明装置１０１,２０１,３０１でも、上記実施形態と同様に、補助反射部材１６２,２６２,３６２で透光部材５０の落下を防止する構造を簡単安価に実現できて好ましい。
【００４１】
また、補助反射部材６２が、複数の係止部（凹部６９）を有する場合について説明したが、補助反射部材が、環状構造でない係止部を１つのみ有する構成でもよい。
【００４２】
また、透光部材５０の第１突起部５７が、反射部材３０の一対の係止爪４２,４２にスナップフィット構造で固定される場合について説明した。しかし、透光部材の第１突起部は、ねじ止め等、ナップフィット構造以外の固定手段で反射部材に固定されてもよい。
【００４３】
また、照明装置において、反射部材、補助反射部材、及び光源のうちの少なくとも１つの照明装置に対する固定構造は、上述の方法にかぎらず、公知の如何なる構造が用いられてもよい。例えば、反射部材は、ねじで基台に固定されてもよい。また、補助反射部材は、枠体と一体の構造を有してもよい。また、光源を基台に取り付ける保持部材を設け、反射部材を保持部材に固定すると共に、保持部材をねじ等の取付手段で基台に取り付けてもよい。
【００４４】
また、補助反射部材は、上で説明した互いに異なる２以上の係止部を有してもよく、透光部材がそれら２以上の係止部に係止される２以上の突起部を有してもよい。例えば、補助反射部材は、上で説明した凹部６９と、図１０を用いて説明した突出部３６９を共に有してもよい。
【００４５】
また、照明装置１が、埋め込み型ライトである場合について説明したが、照明装置は、レールに吊り下げされる形式や、天井に吊り下げされる形式でもよい。要は、照明装置は、突起部を有する透光部材と、光源からの光を透光部材側に反射させ、透光部材が固定される反射部材と、透光部材から出射された光を反射し、突起部が係止される係止部を有する補助反射部材を備えれば、如何なる形式の照明装置でもよい。
【符号の説明】
【００４６】
１,１０１,２０１,３０１  照明装置、  ３０  反射部材、  ３８  反射部材の高さ方向の光源側とは反対側の端面、  ３９  環状の突出部、  ５０  透光部材、  ６２,１６２,２６２,３６２  補助反射部材、  ６９  凹部、  ６９ａ  凹部の底、  １６９  溝、  １７０  封鎖部、  ２６９  湾曲部、３６９  突出部、  Ｒ方向  反射部材の貫通孔の径方向、  θ方向  反射部材の貫通孔の周方向、  Ｚ方向は、照明装置の高さ方向。
【図１】
2019087433.tif 000003
【図２】
2019087433.tif 000004
【図３】
2019087433.tif 000005
【図４】
2019087433.tif 000006
【図５】
2019087433.tif 000007
【図６】
2019087433.tif 000008
【図７】
2019087433.tif 000009
【図８】
2019087433.tif 000010
【図９】
2019087433.tif 000011
【図１０】
2019087433.tif 000012